(57)【要約】    【課題】  正規使用者以外の使用を確実に防止して、携帯端末装置上で管理される機密情報に対して確実に保護することができる携帯端末装置及びその使用許可方法、並びにプログラム及び記憶媒体を提供する。  【解決手段】  携帯端末装置１において、使用者の手が静電容量式センサ５に触れると、同時に、使用者の手のひらが静脈パターンセンサ４に触れる状態となり、取り込んだ使用者の手のひらの静脈パターンデータから特徴データを抽出し、この抽出された静脈パターンデータの特徴データが、フラッシュメモリ６内に予め登録されている正規使用者の登録静脈パターン特徴データと照合により一致しているときは、携帯端末装置１の使用者が正規使用者本人であると判定して、その使用者による携帯端末装置１の使用を許可し、使用者の手が静電容量式センサ５に接触している限り、携帯端末装置１の使用を継続する。【選択図】      図４
2006172129.tif 000002
【特許請求の範囲】
【請求項１】
使用者により使用される携帯端末装置において、前記携帯端末装置への使用者の接触を検出する人体接触検出手段と、前記使用者が当該携帯端末の正規使用者であることを認証する個人認証手段と、前記携帯端末装置への前記使用者の接触が検出され、且つ前記使用者が前記正規使用者であることが認証されたときに、前記使用者による前記携帯端末装置の使用を許可する許可手段と、前記使用の許可後、前記携帯端末装置への前記使用者の接触が検出されている限り前記使用の許可を継続する継続手段とを備えることを特徴とする携帯端末装置。
【請求項２】
前記個人認証手段は、前記認証を人体の手のひらの静脈パターンにより行う静脈パターン認証手段を含むことを特徴とする請求項１記載の携帯端末装置。
【請求項３】
前記個人認証手段は、前記認証を人体の指紋により行う指紋認証手段を含むことを特徴とする請求項１記載の携帯端末装置。
【請求項４】
前記個人認証手段は、前記認証をＩＤキー入力により行うＩＤ照合手段を含むことを特徴とする請求項１記載の携帯端末装置。
【請求項５】
前記個人認証手段は、前記認証を使用者の筆跡鑑定により行う筆跡鑑定手段を含むことを特徴とする請求項１記載の携帯端末装置。
【請求項６】
前記人体接触検出手段は、前記使用者の手からの放電による静電容量を電気的に検出する静電容量式センサを含むことを特徴とする請求項１乃至５のいずれか１項に記載の携帯端末装置。
【請求項７】
前記人体接触検出手段は、前記使用者の手の体温を検出する温度センサを含むことを特徴とする請求項１乃至５のいずれか１項に記載の携帯端末装置。
【請求項８】
前記人体接触検出手段は、前記使用者の手による圧力を検出する圧力センサを含むことを特徴とする請求項１乃至５のいずれか１項に記載の携帯端末装置。
【請求項９】
前記人体接触検出手段は、前記使用者の手によりが押されるスイッチを含むことを特徴とする請求項１乃至５のいずれか１項に記載の携帯端末装置。
【請求項１０】
携帯端末装置の使用許可方法において、前記携帯端末装置への人体の接触を検出する人体接触検出ステップと、前記使用者が当該携帯端末の正規使用者であることを認証する個人認証ステップと、前記携帯端末装置への前記人体の接触が検出され、且つ前記使用者が前記正規使用者であることが認証されたときに、前記使用者による前記携帯端末装置の使用を許可する許可ステップと、前記使用の許可後、前記携帯端末装置への前記人体の接触が検出されている限り前記使用の許可を継続する継続ステップとを備えることを特徴とする携帯端末装置の使用許可方法。
【請求項１１】
携帯端末装置の使用許可プログラムにおいて、前記携帯端末装置への人体の接触を検出する人体接触検出モジュールと、前記使用者が当該携帯端末の正規使用者であることを認証する個人認証モジュールと、前記携帯端末装置への前記人体の接触が検出され、且つ前記使用者が前記正規使用者であることが認証されたときに、前記使用者による前記携帯端末装置の使用を許可する許可モジュールと、前記使用の許可後、前記携帯端末装置への前記人体の接触が検出されている限り前記使用の許可を継続する継続モジュールとコンピュータに実行させることを特徴とする使用許可プログラム。
【請求項１２】
請求項１１記載の使用許可プログラムを格納することを特徴とするコンピュータ読取り可能な記憶媒体。
【発明の詳細な説明】
【技術分野】
【０００１】
本発明は、携帯端末装置及びその使用許可方法、並びにプログラム及び記憶媒体に関し、特に、情報の安全性や信頼性を確保するセキュリティ機能を有する携帯端末装置及びその使用許可方法、並びにプログラム及び記憶媒体に関する。
【背景技術】
【０００２】
携帯端末装置は、持ち運びに便利である反面、盗難や無断使用を受け易いことからセキュリティに問題を持つ。例えば、他者により盗難や無断使用を受けた場合には、携帯端末装置のデータが改ざんされたりコピーされることにより多額の損失を被る恐れがある。そこで、最近では、使用者の指紋を照合することによりセキュリティ機能を持たせる技術が提案されており、この携帯端末装置は、電源投入時や作業開始時に使用者の指紋を照合することで正規使用者の使用を許可するようになっている（例えば、特許文献１参照）。
【特許文献１】特開２００１−２６５５０７号公報
【発明の開示】
【発明が解決しようとする課題】
【０００３】
しかしながら、上記携帯端末装置は、使用許可後に正規使用者が携帯端末装置を離れたときでも、携帯端末装置の使用可能状態が続くので、その間に他者が携帯端末装置を使用して機密情報を取得してしまう場合がある。
【０００４】
本発明の目的は、正規使用者以外の使用を確実に防止して、携帯端末装置上で管理される機密情報に対して確実に保護することができる携帯端末装置及びその使用許可方法、並びにプログラム及び記憶媒体を提供することにある。
【課題を解決するための手段】
【０００５】
上記目的を達成するために、請求項１記載の携帯端末装置は、使用者により使用される携帯端末装置において、前記携帯端末装置への使用者の接触を検出する人体接触検出手段と、前記使用者が当該携帯端末の正規使用者であることを認証する個人認証手段と、前記携帯端末装置への前記使用者の接触が検出され、且つ前記使用者が前記正規使用者であることが認証されたときに、前記使用者による前記携帯端末装置の使用を許可する許可手段と、前記使用の許可後、前記携帯端末装置への前記使用者の接触が検出されている限り前記使用の許可を継続する継続手段とを備えることを特徴とする。
【０００６】
請求項１０記載の携帯端末装置の使用許可方法は、携帯端末装置の使用許可方法において、前記携帯端末装置への人体の接触を検出する人体接触検出ステップと、前記使用者が当該携帯端末の正規使用者であることを認証する個人認証ステップと、前記携帯端末装置への前記人体の接触が検出され、且つ前記使用者が前記正規使用者であることが認証されたときに、前記使用者による前記携帯端末装置の使用を許可する許可ステップと、前記使用の許可後、前記携帯端末装置への前記人体の接触が検出されている限り前記使用の許可を継続する継続ステップとを備えることを特徴とする。
【０００７】
請求項１１記載の携帯端末装置の使用許可プログラムは、携帯端末装置の使用許可プログラムにおいて、前記携帯端末装置への人体の接触を検出する人体接触検出モジュールと、前記使用者が当該携帯端末の正規使用者であることを認証する個人認証モジュールと、前記携帯端末装置への前記人体の接触が検出され、且つ前記使用者が前記正規使用者であることが認証されたときに、前記使用者による前記携帯端末装置の使用を許可する許可モジュールと、前記使用の許可後、前記携帯端末装置への前記人体の接触が検出されている限り前記使用の許可を継続する継続モジュールとコンピュータに実行させることを特徴とする。
【０００８】
請求項１２記載の記憶媒体は、請求項１１記載の使用許可プログラムを格納することを特徴とする。
【発明の効果】
【０００９】
本発明によれば、携帯端末装置への使用者の接触が検出され、且つこの使用者が正規使用者であることが認識されたときに、当該使用者による携帯端末装置の使用を許可し、使用の許可後、携帯端末装置への使用者の接触が検出されている限り使用の許可を継続するので、正規使用者が使用中の携帯端末装置を正規使用者以外の他人に渡した場合に使用を禁止することができ、もって、正規使用者以外の使用を確実に防止して、携帯端末装置上で管理される機密情報に対して確実に保護することができる。
【発明を実施するための最良の形態】
【００１０】
以下、本発明の実施の形態を図面を参照しながら詳述する。
【００１１】
図１は、本発明の第１の実施の形態に係る携帯端末装置の前面から見た斜視図であり、図２は、図１の携帯端末装置の背面から見た斜視図である。
【００１２】
携帯端末装置１は、図１に示すように、その前面に、文字等を入力するキー入力部２と、キー入力部２により入力されるデータを逐次表示するＬＣＤ等の表示部３とを備えると共に、その側部に、携帯端末装置端末１に使用者の手が触れたことを検出する静電容量式センサ５を備え、図２に示すように、その背面に、携帯端末装置１に触れた使用者の手のひらの静脈パターンを抽出する静脈パターンセンサ４を備える。
【００１３】
図３は、図１の携帯端末装置の内部構成を示すブロック図である。
【００１４】
図３において、携帯端末装置１は、キー入力部２、表示部３、静脈パターンセンサ４、及び静電容量式センサ５に加えて、フラッシュメモリ６、ＣＰＵ７、ＡＳＩＣ８、及びＲＡＭ９を備え、これらは、互いに接続されている。携帯端末装置１は、また、電源回路１０を備える。
【００１５】
フラッシュメモリ６は、システムプログラムや各種の応用プログラム等を内蔵し、また、携帯端末装置１の正規使用者の静脈パターン特徴データを記憶している。ＣＰＵ７は、フラッシュメモリ６に予め記憶されている各種プログラム等に応じて回路各部の動作制御を実行する。このＣＰＵ７は、人体接触検出プログラムを動作させ、静電容量式センサ５から使用者の手が触れたという人体接触データを取り込み、また、静脈パターン認証プログラムを動作させ、静脈パターンセンサ４から静脈パターンデータを取り込み、その静脈パターンデータから特徴点を抽出する。
【００１６】
ＡＳＩＣ８は、携帯端末装置１の周辺Ｉ／Ｏ機能を内蔵しており、ＲＡＭ９は、各種の動作モードにおいてＣＰＵ７に入出力されるデータが必要に応じて一時的に記憶されるワークレジスタの他に、入力データが記憶される入力レジスタ等を備えている。電源回路１０は、電池又は充電池からなる電源を有し、各構成要素に動作用電源を供給する。
【００１７】
図４は、図１の携帯端末装置１によって実行される静脈パターン照合処理の手順を示すフローチャートである。
【００１８】
図４において、まず、使用者が携帯端末装置１の電源をＯＮにすると（ステップＳ１）、静電容量式センサ５は動作を開始して、常に接触の検出を待っている状態になり、使用者の手が、携帯端末装置１を使用するために携帯端末装置１の側部に配された静電容量式センサ５に触れると、同時に、使用者の手のひらが静脈パターンセンサ４に触れる状態となり（ステップＳ２でＹＥＳ）（人体接触検出手段）、ＣＰＵ７は、使用者の手のひらの静脈パターンデータを取り込んで、その静脈パターンデータをＲＡＭ９に蓄え（ステップＳ３）、さらに、ＣＰＵ７は、ＲＡＭ９に蓄えられた静脈パターンデータから特徴データを抽出する（ステップＳ４）。
【００１９】
次いで、ステップＳ４で抽出された静脈パターンデータの特徴データが、フラッシュメモリ６内に予め登録されている正規使用者の登録静脈パターン特徴データと照合により一致しているか否かを判別し（ステップＳ５）（個人認証手段）、一致しているときは、携帯端末装置１の使用者が正規使用者本人であると判定して、その使用者による携帯端末装置１の使用を許可し（ステップＳ６）（許可手段）、使用者の手が静電容量式センサ５に接触している限り（ステップＳ７でＹＥＳ）、携帯端末装置１の使用を継続する（継続手段）。使用者が携帯端末装置１から手を離したときは（ステップＳ７でＮＯ）、使用者による携帯端末装置１の使用を禁止して（ステップＳ８）、ステップＳ２に進み、新たな人体接触データの入力待ち状態となる。
【００２０】
ステップＳ５の判別の結果、ステップＳ４で抽出された静脈パターンデータの特徴データが、フラッシュメモリ６内に予め登録されている正規使用者の登録静脈パターン特徴データと照合により一致していないときは、使用者が登録使用者本人でない判定して、使用者による携帯端末装置１の使用を禁止して（ステップＳ８）、ステップＳ２に進み、新たな人体接触データの入力待ち状態となる。
【００２１】
なお、携帯端末装置１は、電源ＯＦＦスイッチによって、又は人体接触データの入力待ち状態において、ある一定時間人体の接触がなければ、オートタイマーにて電源をＯＦＦにする。このことは、他の実施の形態における処理において同じである。
【００２２】
上記実施の形態では、携帯端末装置１から使用者が静電容量式センサ５から手を離せば携帯端末装置１の使用が禁止されるが、悪意で持ちつづけたままそっと人に渡し、手をすりかえる場合に本人以外でも使用される可能性がある。その可能性は、静脈パターンセンサ４が個人認証に加えて人体接触の検出を行うことも可能であることを利用して、静脈パターンセンサ４を静電容量式センサ５に代えて人体接触検出手段として用いて、後述する図５の処理により回避することができる。この場合は、静電容量式センサ５は、不要である。
【００２３】
図５は、図１の静脈パターン照合処理の変形例の手順のフローチャートである。
【００２４】
図５において、まず、使用者が携帯端末装置１の電源をＯＮにし（ステップＳ１１）、使用者の手のひらが、携帯端末装置１を使用するために静脈パターンセンサ４に触れると（人体接触検出手段）、ＣＰＵ７は、使用者の手のひらの静脈パターンデータを取り込んで、その静脈パターンデータをＲＡＭ９に蓄え（ステップＳ１２）、さらに、ＣＰＵ７は、ＲＡＭ９に蓄えられた静脈パターンデータから特徴データを抽出する（ステップＳ１３）。
【００２５】
次いで、ステップＳ１３で抽出された静脈パターンデータの特徴データが、フラッシュメモリ６内に予め登録されている正規使用者の登録静脈パターン特徴データと照合により一致しているか否かを判別し（ステップＳ１４）（個人認証手段）、一致しているときは、携帯端末装置１の使用者が正規使用者本人であると判定して、その使用者による携帯端末装置１の使用を許可し（ステップＳ１５）（許可手段）、使用許可となった後一定期間経過するまで（ステップＳ１６でＮＯ）、携帯端末装置１の使用を継続し（継続手段）、使用の継続の確認を行うため、使用許可となった後一定期間経過後は（ステップＳ１６でＹＥＳ）、ステップＳ１２に進み、新たな人体接触データの入力待ち状態となる。上記一定期間は、正規使用者により予め任意に登録することができる。
【００２６】
ステップＳ１４の判別の結果、ステップＳ１３で抽出された静脈パターンデータの特徴データが、フラッシュメモリ６内に予め登録されている正規使用者の登録静脈パターン特徴データと照合により一致していないときは、使用者が登録使用者本人でない判定して、使用者による携帯端末装置１の使用を禁止して（ステップＳ１７）、ステップＳ１２に進み、新たな人体接触データの入力待ち状態となる。
【００２７】
また、個人認証手段としての静脈パターンセンサ４に代えて、指紋センサを用いてもよい。指紋センサは、光学式、感圧式、静電容量式等により構成することができる。
【００２８】
人体接触検出手段としての静電容量式センサ５に代えて、温度センサを用いてもよい。温度センサには、例えば温度によって抵抗値が変化するという特性をもつサーミスタを用いる。携帯端末装置１を手に乗せると、温度センサが指や手のひらに触れることができるような配置とし、指や手のひらが温度センサに触れることにより温度変化を検出し、人体の接触を検出する。さらに、温度センサを複数箇所設け、その箇所に指等を乗せ、すべての箇所で温度変化が見られれば接触検出できるという機能を設けることにより検出精度を向上させることができる。
【００２９】
人体接触検出手段としての静電容量式センサ５に代えて、圧力センサを用いてもよい。携帯端末装置１を手に乗せると、圧力センサが指や手のひらに触れることができるような配置とし、指や手のひらが圧力センサに触れることにより圧力変化を検出し、人体の接触を検出する。さらに、圧力センサを複数箇所設け、その箇所に指等を乗せ、すべての箇所で圧力変化が見られれば接触検出できるという機能を設けることにより検出精度を上げることも可能である。
【００３０】
人体接触検出手段としての静電容量式センサ５に代えて、温度センサと圧力センサの両機能を持つセンサを用いてもよい。これにより、気温がほぼ体温と変わらない環境においても、手の接触を検出することが可能となる。
【００３１】
人体接触検出手段としての静電容量式センサ５に代えて、スイッチを用いてもよい。携帯端末装置１を手に乗せると、スイッチが指や手のひらに押されるような配置とし、指や手のひらによりスイッチが押されると、人体の接触を検出する。さらに、スイッチを複数箇所設け、その箇所に指等を乗せ、すべての箇所でスイッチが押されていれば接触検出できるという機能を設けることにより検出精度を向上させることができる。
【００３２】
図６は、本発明の第２の実施の形態に係る携帯端末装置の前面から見た斜視図であり、図７は、図６の携帯端末装置の背面から見た斜視図である。
【００３３】
携帯端末装置１は、図６に示すように、その前面に、文字等を入力するキー入力部２と、キー入力部２により入力されるデータを逐次表示するＬＣＤ等の表示部３とを備え、図７に示すように、その背面に、携帯端末装置１に使用者の手が触れたことを検出する静電容量式センサ５を備える。
【００３４】
図８は、図６の携帯端末装置の内部構成を示すブロック図である。
【００３５】
図８において、携帯端末装置１は、キー入力部２、表示部３、及び静電容量式センサ５に加えて、フラッシュメモリ６、ＣＰＵ７、ＡＳＩＣ８、及びＲＡＭ９を備え、これらは、互いに接続されている。携帯端末装置１は、また、電源回路１０を備える。
【００３６】
フラッシュメモリ６は、システムプログラムや各種の応用プログラム等を内蔵し、また、携帯端末装置１の正規使用者のＩＤキーデータを記憶している。ＣＰＵ７は、フラッシュメモリ６に予め記憶されている各種プログラム等に応じて回路各部の動作制御を実行する。このＣＰＵ７は、人体接触検出プログラムを動作させ、静電容量式センサ５から使用者の手が触れたという人体接触データを取り込み、また、ＩＤキー認証プログラムを動作させ、キー入力部２からＩＤキー入力の通知を受ける。
【００３７】
ＡＳＩＣ８は、携帯端末装置の周辺Ｉ／Ｏ機能を内蔵しており、ＲＡＭ９は、各種の動作モードにおいてＣＰＵ７に入出力されるデータが必要に応じて一時的に記憶されるワークレジスタの他に、入力データが記憶される入力レジスタ等を備えている。電源回路１０は、電池又は充電池からなる電源を有し、回路各部に動作用電源を供給する。
【００３８】
図９は、図６の携帯端末装置１によって実行されるＩＤ照合処理の手順を示すフローチャートである。
【００３９】
図９において、まず、使用者が携帯端末装置１の電源をＯＮにすると（ステップＳ２１）、静電容量式センサ５は動作を開始して、常に接触の検出を待っている状態になり、使用者の手のひらが、携帯端末装置１を使用するために携帯端末装置１の背面に配された静電容量式センサ５に触れた後に（ステップＳ２２でＹＥＳ）（人体接触検出手段）、使用者がキー入力部２によりＩＤキーを入力したときに、ＣＰＵ７は、その入力された入力ＩＤキーデータをＲＡＭ９に蓄える（ステップＳ２３）。
【００４０】
次いで、ステップＳ２３で入力されたＩＤキーデータが、フラッシュメモリ６内に予め登録されている登録ＩＤキーデータと照合により一致しているか否かを判別し（ステップＳ２４）（個人認証手段）、一致しているときは、携帯端末装置１の使用者が正規使用者本人であると判定して、その使用者による携帯端末装置１の使用を許可し（ステップＳ２５）（許可手段）、使用者の手が静電容量式センサ５に接触している限り（ステップＳ２６でＹＥＳ）、携帯端末装置１の使用を継続する（継続手段）。使用者が携帯端末装置１から手を離したときは（ステップＳ２６でＮＯ）、使用者による携帯端末装置１の使用を禁止して（ステップＳ２７）、ステップＳ２２に進み、新たな人体接触データの入力待ち状態となる。
【００４１】
ステップＳ２４の判別の結果、ステップＳ２３で入力されたＩＤキーデータが、フラッシュメモリ６内に予め登録されている登録ＩＤキーデータと照合により一致していないときは、使用者が登録使用者本人でない判定して、使用者による携帯端末装置１の使用を禁止して（ステップＳ８）、ステップＳ２に進み、新たな人体接触データの入力待ち状態となる。
【００４２】
図１０は、本発明の第３の実施の形態に係る携帯端末装置の前面から見た斜視図であり、図１１は、図１０の携帯端末装置の背面から見た斜視図である。
【００４３】
携帯端末装置１は、図１０に示すように、その前面に、文字等を入力するキー入力部２と、キー入力部２により入力されるデータを逐次表示するＬＣＤ等の表示部３とを備え、図１１に示すように、その背面に、携帯端末装置１に使用者の手が触れたことを検出する静電容量式センサ５を備える。表示部３の上には、抵抗膜感圧方式のタッチパネルや電磁誘導方式のデジタイザ等でなる座標入力装置１１が配されている。
【００４４】
図１２は、図１０の携帯端末装置の内部構成を示すブロック図である。
【００４５】
図１２において、携帯端末装置１は、キー入力部２、表示部３、静電容量式センサ５、及び座標入力装置１１に加えて、フラッシュメモリ６、ＣＰＵ７、ＡＳＩＣ８、及びＲＡＭ９を備え、これらは、互いに接続されている。携帯端末装置１は、また、電源回路１０を備える。
【００４６】
フラッシュメモリ６は、システムプログラムや各種の応用プログラム等を内蔵し、また、携帯端末装置１の正規使用者の筆跡情報特徴データを記憶している。ＣＰＵ７は、フラッシュメモリ６に予め記憶されている各種プログラム等に応じて回路各部の動作制御を実行する。このＣＰＵ７は、人体接触検出プログラムを動作させ、静電容量式センサ５から使用者の手が触れたという人体接触データを取り込み、また、筆跡鑑定プログラムを動作させて、使用者が座標入力装置１１の表面をペン先等で押下したときに、その押下位置を検出して、座標データとして取り込むことができ、また、使用者が図や文字を入力したときは、その入力の軌跡を連続した座標データとして取り込んで、それを筆跡情報データとし、その筆跡情報データから特徴データを抽出する。
【００４７】
ＡＳＩＣ８は、携帯端末装置１の周辺Ｉ／Ｏ機能を内蔵し、ＲＡＭで９は、各種の動作モードにおいてＣＰＵ７に入出力されるデータが必要に応じて一時的に記憶されるワークレジスタの他に、入力データが記憶される入力レジスタ等を備えている。電源回路１０は、電池又は充電池からなる電源を有し、回路各部に動作用電源を供給する。
【００４８】
図１３は、図１０の携帯端末装置１によって実行される筆跡情報照合処理の手順を示すフローチャートである。
【００４９】
図１３において、まず、使用者が携帯端末装置１の電源をＯＮにすると（ステップＳ３１）、静電容量式センサ５は動作を開始して、常に接触の検出を待っている状態になり、使用者の手のひらが、携帯端末装置１を使用するために携帯端末装置１の背面に配された静電容量式センサ５に触れた後に（ステップＳ３２でＹＥＳ）（人体接触検出手段）、使用者が座標入力装置１１に文字等の筆跡を入力したときに、ＣＰＵ７は、その入力された筆跡情報データをＲＡＭ９に蓄え（ステップＳ３３）、さらに、ＣＰＵ７は、ＲＡＭ９に蓄えられた筆跡情報データから特徴データを抽出する（ステップＳ３４）。
【００５０】
次いで、ステップＳ３４で抽出された筆跡情報の特徴データが、フラッシュメモリ６内に予め登録されている正規使用者の登録筆跡情報特徴データと照合により一致しているか否かを判別し（ステップＳ３５）（個人認証手段）、一致しているときは、携帯端末装置１の使用者が正規使用者本人であると判定して、その使用者による携帯端末装置１の使用を許可し（ステップＳ３６）（許可手段）、使用者の手が静電容量式センサ５に接触している限り（ステップＳ３７でＹＥＳ）、携帯端末装置１の使用を継続する（継続手段）。使用者が携帯端末装置１から手を離したときは（ステップＳ３７でＮＯ）、使用者による携帯端末装置１の使用を禁止して（ステップＳ３８）、ステップＳ３２に進み、新たな人体接触データの入力待ち状態となる。
【００５１】
ステップＳ３５の判別の結果、ステップＳ３４で抽出された筆跡情報の特徴データが、フラッシュメモリ６内に予め登録されている正規使用者の登録筆跡情報特徴データと照合により一致していないときは、使用者が登録使用者本人でない判定して、使用者による携帯端末装置１の使用を禁止して（ステップＳ３８）、ステップＳ３２に進み、新たな人体接触データの入力待ち状態となる。
【００５２】
上記第１〜第３の実施の形態によれば、携帯端末装置における正規使用者以外の使用を確実に防止して、携帯端末装置上で管理される機密情報に対して確実に保護することができる。
【００５３】
また、本発明の目的は、上記実施形態の機能を実現するソフトウェアのプログラムコードを記録した記憶媒体（又は記録媒体）を、システム或いは装置に供給し、そのシステム又は装置のコンピュータ（又はＣＰＵやＭＰＵ）が記憶媒体に格納されたプログラムコードを読み出し実行することによっても、達成されることは言うまでもない。
【００５４】
この場合、記憶媒体から読み出されたプログラムコード自体が前述した実施形態の機能を実現することになり、そのプログラムコードを記憶した記憶媒体は本発明を構成することになる。
【００５５】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部又は全部を行い、その処理によって前述した実施形態の機能が実現される場合も含まれることは言うまでもない。
【００５６】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部又は全部を行い、その処理によって前述した実施形態の機能が実現される場合も含まれることは言うまでもない。
【００５７】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００５８】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【００５９】
【図１】本発明の第１の実施の形態に係る携帯端末装置の前面から見た斜視図である。
【図２】図１の携帯端末装置の背面から見た斜視図である。
【図３】図１の携帯端末装置の内部構成を示すブロック図である。
【図４】図１の携帯端末装置１によって実行される静脈パターン照合処理の手順を示すフローチャートである。
【図５】図１の静脈パターン照合処理の変形例の手順のフローチャートである。
【図６】本発明の第２の実施の形態に係る携帯端末装置の前面から見た斜視図である。
【図７】図６の携帯端末装置の背面から見た斜視図である。
【図８】図６の携帯端末装置の内部構成を示すブロック図である。
【図９】図６の携帯端末装置１によって実行されるＩＤ照合処理の手順を示すフローチャートである。
【図１０】本発明の第３の実施の形態に係る携帯端末装置の前面から見た斜視図である。
【図１１】図１０の携帯端末装置の背面から見た斜視図である。
【図１２】図１０の携帯端末装置の内部構成を示すブロック図である。
【図１３】図１０の携帯端末装置１によって実行される筆跡情報照合処理の手順を示すフローチャートである。
【符号の説明】
【００６０】
１  携帯端末装置
２  キー入力部
３  表示部
４  静脈パターンセンサ
５  静電容量式センサ
６  フラッシュメモリ
７  ＣＰＵ
８  ＡＳＩＣ
９  ＲＡＭ
１０  電源回路
１１  座標入力装置
【図１】
2006172129.tif 000003
【図２】
2006172129.tif 000004
【図３】
2006172129.tif 000005
【図４】
2006172129.tif 000006
【図５】
2006172129.tif 000007
【図６】
2006172129.tif 000008
【図７】
2006172129.tif 000009
【図８】
2006172129.tif 000010
【図９】
2006172129.tif 000011
【図１０】
2006172129.tif 000012
【図１１】
2006172129.tif 000013
【図１２】
2006172129.tif 000014
【図１３】
2006172129.tif 000015